(57)【要約】【課題】輝度のばらつきを抑制しつつ、ローカルディミング機能を搭載した複数の表示装置を用いて画像を表示する。【解決手段】画像の表示を制御するトーンマッピング部（１０ｎ１）、ローカルディミング部（１０ｎ３）を備える複数の表示装置（１０ｎ）の各々を制御するマルチディスプレイコントローラ（１０）において、複数の表示装置（１０ｎ）の各々に共通な、トーンマッピング部（１０ｎ１）、ローカルディミング部（１０ｎ３）による画像の表示の制御に用いられる、輝度に関する設定値を設定する設定部（１２）と、複数の表示装置（１０ｎ）の各々に対して設定値を提供する提供部（１４）とを備える。【選択図】図１
2018025700.tif 000002
【特許請求の範囲】
【請求項１】
画像の表示を制御する制御部を備える複数の表示装置の各々を制御する表示制御装置において、
上記複数の表示装置の各々に共通な、上記制御部による画像の表示の制御に用いられる、輝度に関する設定値を設定する設定部と、
上記複数の表示装置の各々に対して上記設定値を提供する提供部と
を備えることを特徴とする表示制御装置。
【請求項２】
上記設定部は、上記設定値として、上記複数の表示装置の各々において画像データに施されるトーンマッピングに用いられる関数を設定する
ことを特徴とする請求項１に記載の表示制御装置。
【請求項３】
上記提供部は、上記複数の表示装置の各々に供給される画像データのメタデータに含めて上記設定値を提供する
ことを特徴とする請求項１に記載の表示制御装置。
【請求項４】
複数の表示装置の各々の表示を制御する表示制御装置において、
上記複数の表示装置の各々に共通な、輝度に関する設定値を設定する設定部と、
画像データに上記設定値を用いてトーンマッピングを施し、トーンマッピングが施された画像データを上記複数の表示装置の各々に提供する提供部と
を備えることを特徴とする表示制御装置。
【請求項５】
上記設定部は、上記設定値を、上記複数の表示装置の各々が有する複数のバックライトに対して供給されるバックライト制御信号のデューティ比の、表示装置毎の最大値を参照して設定する
ことを特徴とする請求項１〜４の何れか１項に記載の表示制御装置。
【請求項６】
上記設定部は、上記設定値を、上記表示装置毎の最大値のうちの最も小さい値に応じて設定する
ことを特徴とする請求項５に記載の表示制御装置。
【請求項７】
上記設定部は、上記設定値を、上記複数の表示装置からの情報に応じて設定する
ことを特徴とする請求項１〜６の何れか１項に記載の表示制御装置。
【請求項８】
上記設定部は、上記設定値を、上記複数の表示装置の各々において表示可能な輝度に応じて設定する
ことを特徴とする請求項７に記載の表示制御装置。
【請求項９】
上記設定部は、上記設定値を、上記複数の表示装置の各々において表示可能な輝度を推定し、推定した輝度に応じて設定する
ことを特徴とする請求項１〜６の何れか１項に記載の表示制御装置。
【請求項１０】
請求項１〜９の何れか１項に記載の表示制御装置と、
画像の表示を制御する制御部を備え、上記表示制御装置によって制御される複数の表示装置と
を備えた表示システムであって、
上記複数の表示装置の各々の制御部は、上記設定値に対応する輝度となるように画像の表示を制御する
ことを特徴とする表示システム。
【請求項１１】
請求項１０に記載の表示システムとチューナとを備えていることを特徴とするテレビジョン受像機。
【請求項１２】
請求項１に記載の表示制御装置としてコンピュータを機能させるための表示制御プログラムであって、上記設定部、および上記提供部としてコンピュータを機能させるための表示制御プログラム。
【請求項１３】
請求項１２に記載の表示制御プログラムを記録したコンピュータ読み取り可能な記録媒体。
【発明の詳細な説明】
【技術分野】
【０００１】
本発明は、複数の表示装置の各々の表示を制御する表示制御装置、および当該表示制御装置と、複数の表示装置とを備えた表示システムに関する。
【背景技術】
【０００２】
複数の表示装置を縦、横、または縦横に配列し、複数の表示装置の各々に分割した画像を表示して、複数の表示装置全体で一つの大画面を構成するマルチディスプレイ装置が知られている。
【０００３】
一方、個別のディスプレイを複数のバックライト領域に分割し、個別のバックライト領域毎にバックライトの明るさを制御するローカルディミングという技術も知られている。
【先行技術文献】
【特許文献】
【０００４】
【特許文献１】国際公開第２０１２／１０８３３７号（２０１２年８月１６日公開）
【特許文献２】特許第５１６５７８８号公報（２０１３年３月２１日登録）
【発明の概要】
【発明が解決しようとする課題】
【０００５】
ところで、ローカルディミング機能を搭載した複数の表示装置に、画像を表示させようとした場合、表示装置毎に画像の輝度にばらつきが出てしまうことがある。
【０００６】
本発明は、前記の問題点に鑑みてなされたものであり、その目的は、輝度のばらつきを抑制しつつ、ローカルディミング機能を搭載した複数の表示装置を用いて画像を表示することのできる表示制御装置を実現することにある。
【課題を解決するための手段】
【０００７】
上記の課題を解決するために、本発明の一態様に係る表示制御装置は、複数の表示装置の各々の表示を制御する表示制御装置において、上記複数の表示装置の各々に共通な、輝度に関する設定値を設定する設定部と、上記複数の表示装置の各々に対して上記設定値を提供する提供部とを備える。
【発明の効果】
【０００８】
本発明の一態様によれば、輝度のばらつきを抑制しつつ、ローカルディミング機能を搭載した複数の表示装置を用いて画像を表示することができる、という効果を奏する。
【図面の簡単な説明】
【０００９】
【図１】本発明の実施形態１に係る表示システムの平面図である。
【図２】本発明の実施形態１に係る表示システムの概要を示す機能ブロック図である。
【図３】本発明の実施形態１に係る表示システムにおける制御の一例を示す。
【図４】本発明の実施形態１におけるマルチディスプレイコントローラがＬＵＴを生成する処理の流れを示すフローチャートである。
【図５】本発明の実施形態１における階調値と輝度値との関係を示すグラフであり、（ａ）は、グラフの一例であり、（ｂ）は、グラフの他の例であり、（ｃ）は、グラフのさらに他の例である。
【図６】本発明の実施形態２に係る表示システムの概要を示す機能ブロック図である。
【図７】本発明の実施形態３に係る表示システムの概要を示す機能ブロック図である。
【図８】本発明の実施形態４に係る表示システムの概要を示す機能ブロック図である。
【図９】本発明の実施形態５に係る表示システムの概要を示す機能ブロック図である。
【図１０】本発明の実施形態６に係る表示システムの概要を示す機能ブロック図である。
【図１１】本発明の実施形態６に係る表示システムにおける制御の一例を示す。
【発明を実施するための形態】
【００１０】
〔実施形態１〕
以下、本発明の実施の形態について、図１〜図５に基づいて詳細に説明する。
【００１１】
図１は、本実施形態に係る表示システム１の平面図である。表示システム１は、図１に示すように、複数の表示装置１０ｎを縦横に配列し、複数の表示装置１０ｎの各々に分割した画像を表示して、複数の表示装置１０ｎ全体で一つの大画面を構成している。表示システム１は、チューナー（不図示）と伴にテレビジョン受像機として実現されてもよい。
【００１２】
図２は、本実施形態に係る表示システム１の概要を示す機能ブロック図である。
【００１３】
表示システム１は、マルチディスプレイコントローラ１０、およびｎ（ｎ＝１〜Ｎ）個のＨＤＲ方式の表示装置１０ｎを備えている。
【００１４】
マルチディスプレイコントローラ１０は、表示対象の画像の画像データを受信する。マルチディスプレイコントローラ１０は、設定部１２、および提供部１４を備えている。
【００１５】
本実施形態において、表示装置１０ｎは、液晶表示装置であり、トーンマッピング部１０ｎ１、ローカルディミング部１０ｎ３、ＬＣＤ１０ｎ５、画像表示用の発光装置であるＬＥＤバックライト１０ｎ９、およびこのＬＥＤバックライト１０ｎ９を制御するＬＣＤコントローラ１０ｎ７を備えている。
【００１６】
表示装置１０ｎでは、ＬＣＤ１０ｎ５がＬＥＤバックライト１０ｎ９からの光透過度合を制御し、画像を表示する、このようなＬＥＤバックライト１０ｎ９の一例として、ＬＣＤ１０ｎ５に対向して複数のエリアに分割された部材を配置し、各エリアにＬＥＤを設け、ＬＥＤの発光をエリア毎に制御するタイプ（以下、「エリア駆動型」と称する場合がある。）がある。本実施形態では、ＬＥＤバックライト１０ｎ９の発光エリアをＭ個のエリアに分割し、個別のＬＥＤバックライトを１０ｎ９ｍ（ｍ＝１〜Ｍ）と区別する。
【００１７】
エリア駆動型のＬＥＤバックライト１０ｎ９は、ＬＥＤバックライト１０ｎ９の輝度（ＬＥＤバックライト１０ｎ９に供給される電力）を、イメージｎに基づいてエリア毎に調整することができる。
【００１８】
本明細書において「エリア毎の輝度」とは、エリア毎のＬＥＤバックライト１０ｎ９ｍの明るさと、イメージｎにおけるエリア毎の輝度値とに応じて定まるものである。ここで、エリア毎のＬＥＤバックライト１０ｎ９ｍの明るさは、エリア毎のＬＥＤバックライト制御信号のデューディ比に応じて定まる。
【００１９】
ローカルディミング部１０ｎ３は、複数のエリア毎のＬＥＤバックライト１０ｎ９ｍに対して、バックライト制御信号を供給し、複数のエリア毎のＬＥＤバックライト１０ｎ９ｍの発光を制御する。
【００２０】
ローカルディミング部１０ｎ３は、ＬＥＤバックライト１０ｎ９ｍの輝度の情報を含む信号をマルチディスプレイコントローラ１０に供給する。ローカルディミング部１０ｎ３は、表示装置１０ｎに表示される画像の輝度に関する情報として、ＬＥＤバックライト１０ｎ９ｍの輝度の情報を含む情報であってよく、ＬＥＤバックライト１０ｎ９ｍに対して供給されるバックライト制御信号のデューティ比の最大値（最大ＰＷＭ値）をマルチディスプレイコントローラ１０に供給してもよい。
【００２１】
設定部１２は、複数の表示装置１０ｎの各々に共通な、輝度に関する設定値を設定する。設定部１２は、設定値を、複数の表示装置１０ｎの各々において表示可能な輝度に応じて設定してもよい。例えば、過去のフレームを表示した際のエリア毎のＬＥＤバックライト１０ｎ９ｍの明るさに応じて設定してもよい。より具体的には、過去のフレームを表示した際のエリア毎のＬＥＤバックライト１０ｎ９ｍの制御信号に応じて設定してもよい。更に具体的には、過去のフレームを表示した際のエリア毎のＬＥＤバックライト１０ｎ９ｍに供給されるバックライト制御信号としてのＰＷＭ信号のデューティ比に応じて設定してもよい。例えば、設定部１２は、表示装置１０ｎの個別のＬＥＤバックライト１０ｎ９ｍのＰＷＭ信号のデューティ比のうちの最大値＝ｍａｘ（１０ｎ９ｍ：ｍ＝１〜Ｍ）を参照し、これらの最大値のうちの最も小さい最小値＝ｍｉｎ（ｍａｘ（１０ｎ９ｍ：ｍ＝１〜Ｍ）：ｎ＝１〜Ｎ）に応じて設定値を設定するとよい。
【００２２】
なお、「ＬＥＤバックライト１０ｎ９ｍに対して供給されるバックライト制御信号」とは、すでにＬＥＤバックライト１０ｎ９ｍに対して供給されたバックライト制御信号のことでもよいし、将来的にＬＥＤバックライト１０ｎ９ｍに対して供給されるバックライト制御信号のことでもよい。
【００２３】
更に具体的には、設定部１２は、設定値として、トーンマッピング部１０ｎ１においてイメージｎのデータに施されるトーンマッピングに用いられる関数を設定してもよい。この場合、当該関数は、入力された画像データの階調値から表示装置１０ｎに表示される画像の輝度値への変換（ゲイン）を規定するＬＵＴ（ルックアップテーブル）であってよい。
【００２４】
なお、設定部１２が設定する輝度に関する設定値は、上述のＬＵＴに限定されるものではなく、表示装置１０ｎにおいて参照される、輝度に関する設定値であればよい。設定値の他の例として、表示装置１０ｎのメモリに記憶されている複数のトーンマップの形状のうちの何れかを選択するためのレジスタ値や、後述する補正係数が挙げられる。
【００２５】
提供部１４は、複数の表示装置１０ｎの各々に対して設定部１２が設定した設定値を提供する。
【００２６】
提供部１４は、表示装置１０ｎの各々に備わるトーンマッピング部１０ｎ１が共通のトーンマッピングをするように、トーンマッピング部１０ｎ１に、設定値を渡す。
【００２７】
続いて、図３〜４のフローチャートを参照して、本実施形態に係る表示システム１における制御の一例を説明する。
【００２８】
図３におけるステップＳ１０〜ステップＳ２２の処理は、マルチディスプレイコントローラ１０が実行し、図３におけるステップＳ２４〜Ｓ４４の処理は、表示装置１０ｎが実行する。
【００２９】
まず、マルチディスプレイコントローラ１０が実行するステップＳ１０〜Ｓ１２の説明をする。
【００３０】
（ステップＳ１０）
マルチディスプレイコントローラ１０は、画像データを取得する。この画像データはテレビ放送等の受信であってもよく、ＤＶＤ装置、ＢＤ装置等の外部の映像機器から送られてきたものであってもよい。
【００３１】
（ステップＳ１２）
マルチディスプレイコントローラ１０の設定部１２は、輝度に関する情報に応じて、表示装置１０ｎにおいて画像データに対して施されるトーンマッピング処理に用いられるデータを生成する。輝度に関する情報は、例えば最大ＰＷＭ値であってよい。マルチディスプレイコントローラ１０の提供部１４は、トーンマッピング処理に用いられるデータを、表示装置１０ｎのトーンマッピング部１０ｎ１へ出力する。ステップＳ１２におけるマルチディスプレイコントローラ１０の処理の一例を、図４のステップＳ５０〜ステップ５６を参照して説明する。
【００３２】
（ステップＳ５０）
マルチディスプレイコントローラ１０は、表示装置１０ｎの各々について、表示可能な輝度である表示最大輝度を示す情報であるＰｅａｋＬｕｍを取得する。ＰｅａｋＬｕｍは、ＬＥＤバックライト１０ｎ９ｍに応じた値が予め記憶部（不図示）に格納されており、マルチディスプレイコントローラ１０は、記憶部からＰｅａｋＬｕｍを取得する。
【００３３】
（ステップＳ５２）
マルチディスプレイコントローラ１０は、ローカルディミング部１０ｎ３から、ＭＡＸ＿ＧＳ＿ＯＲＩＧおよびＭＡＸ＿ＧＳを取得する。ここで、ＭＡＸ＿ＧＳ＿ＯＲＩＧとは、出力可能な輝度を正規化した値である。また、ＭＡＸ＿ＧＳとは、ＭＡＸ＿ＧＳ＿ＯＲＩＧに対する、表示する画像の最大輝度の割合を示す値である。
【００３４】
（ステップＳ５４）
マルチディスプレイコントローラ１０は、以下の式によって、ピーク輝度（ＰｅａｋＷ）を算出する。
【００３５】
ＰｅａｋＷ＝ＰｅａｋＬｕｍ・ＭＡＸ＿ＧＳ／ＭＡＸ＿ＧＳ＿ＯＲＩＧ
例えば、ＰｅａｋＬｕｍ＝１５００ｃｄ／ｍ２、ＭＡＸ＿ＧＳ＝０．５、ＭＡＸ＿ＧＳ＿ＯＲＩＧ＝１の場合、ＰｅａｋＷは、１５００・０．５／１＝７５０ｃｄ／ｍ２となる。ここで、ＭＡＸ＿ＧＳ＿ＯＲＩＧ＝１の場合、マルチディスプレイコントローラ１０は、ＭＡＸ＿ＧＳの値のみを参照する構成であってもよい。換言すると、マルチディスプレイコントローラ１０は、出力可能な輝度（ＭＡＸ＿ＧＳ／ＭＡＸ＿ＧＳ＿ＯＲＩＧ）を参照し、当該出力可能な輝度と、ＰｅａｋＬｕｍとの対応関係を示す対応情報を生成する。
【００３６】
（ステップＳ５６）
マルチディスプレイコントローラ１０の設定部１２は、算出したピーク輝度に応じて、ＬＵＴ（ルックアップテーブル）を生成する。例えば、設定部１２は、算出したピーク輝度が５００ｃｄ／ｍ２の場合、階調値と輝度値との関係が図５の（ａ）に示すグラフになるようなＬＵＴを生成する。また、例えば、設定部１２は、算出したピーク輝度が１０００ｃｄ／ｍ２の場合、階調値と輝度値との関係が図５の（ｂ）に示すグラフになるようなＬＵＴを生成する。また、例えば、設定部１２は、算出したピーク輝度が１２００ｃｄ／ｍ２の場合、階調値と輝度値との関係が図５の（ｃ）に示すグラフになるようなＬＵＴを生成する。
【００３７】
換言すると、設定部１２は、算出したピーク輝度が低いほど、階調値に対する輝度値の増加の度合い（図５に示すグラフの傾き）が大きい値とする。また、設定部１２は、算出したピーク輝度が高いほど、階調値に対する輝度値の増加の度合い（図５に示すグラフの傾き）が小さい値とする。
【００３８】
そして、提供部１４は、設定部１２が生成したＬＵＴを、トーンマッピング部１０ｎ１に出力する。マルチディスプレイコントローラ１０が実行する処理はステップＳ１４に移行する。
【００３９】
次に、表示装置１０ｎが実行するステップＳ２４の説明をする。
【００４０】
（ステップＳ２４）
トーンマッピング部１０ｎ１は、提供部１４からトーンマッピング処理に用いるデータとしてＬＵＴを取得する。
【００４１】
次に、マルチディスプレイコントローラ１０が実行するステップＳ１４〜Ｓ１６の説明をする。
【００４２】
（ステップＳ１４）
マルチディスプレイコントローラ１０は、各表示装置１０ｎ用に、取得した画像データの示す画像をトリミングしたイメージｎのデータを生成する。
【００４３】
（ステップＳ１６）
マルチディスプレイコントローラ１０は、各表示装置１０ｎに、イメージｎのデータを出力する。
【００４４】
次に、表示装置１０ｎが実行するステップＳ２６〜Ｓ３８の説明をする。
【００４５】
（ステップＳ２６）
表示装置１０ｎは、マルチディスプレイコントローラ１０からイメージｎのデータを取得する。
【００４６】
（ステップＳ２８）
トーンマッピング部１０ｎ１は、提供部１４から取得したＬＵＴを用いてイメージｎのデータにトーンマッピング処理を施す。
【００４７】
（ステップＳ３０）
ローカルディミング部１０ｎ３は、イメージｎのデータに基づいて、ＬＥＤデータ、ＬＣＤデータを生成する。
【００４８】
ここでＬＥＤデータは、各エリアに対応するイメージｎの輝度に基づいて決定される。これに対し、各エリアに対応するＬＣＤ１０ｎ５には複数の画素が存在する。そこで、この複数の画素の各々の輝度の最大値に基づいて、各エリアのＬＥＤデータを決定する。なお、ＬＥＤデータの決定方法は、これに限定されず、例えば、各エリアに対応する複数の画素の輝度の平均値に基づいた決定であってもよい。
【００４９】
なお、ローカルディミング部１０ｎ３は、各エリアのＬＥＤデータの決定を、イメージｎのデータが動画のデータである場合、フレーム周期にあわせて行う。周期は１フレーム毎に限らず、５フレーム毎、１０フレーム毎等、一定のフレーム毎に行うようにしてもよい。また、イメージｎのデータが静止画のデータである場合、画像が変わるときにＬＥＤデータの決定をしてもよい。
【００５０】
ローカルディミング部１０ｎ３は、ＬＥＤデータを、ＬＥＤコントローラ１０ｎ７に送る。
【００５１】
（ステップＳ３２）
ＬＥＤコントローラ１０ｎ７は、ＬＥＤデータに対し、ホワイトバランス、温度補正等の調整を行う。またＬＥＤコントローラ１０ｎ７は、調整後のＬＥＤデータに基づいてバックライトＡＰＬ（Average Picture Level）値を算出する。
【００５２】
（ステップＳ３４）
ＬＥＤコントローラ１０ｎ７は、バックライトＡＰＬ値と、ＬＥＤバックライト１０ｎ９の制限値（％）とを比較する。ステップＳ３６において、ＬＥＤコントローラ１０ｎ７が、制限値がバックライトＡＰＬ値を超えると判断した場合は、ステップＳ３８に移行する。ステップＳ３６において、ＬＥＤコントローラ１０ｎ７が、制限値がバックライトＡＰＬ値以下であると判断した場合は、ステップＳ４０に移行する。
【００５３】
ここで制限値は、制限電力値のＬＥＤバックライト１０ｎ９へ供給な電力の最大値に対する比率である。一般的に、ＬＥＤバックライト１０ｎ９は、ＬＣＤ１０ｎ５を全白表示するときに供給電力が最大となり、その値は、省電力、低発熱を達成するために、予め定められた制限電力値に制限される。
【００５４】
（ステップＳ３６）
ＬＥＤコントローラ１０ｎ７は、プレ補正係数に１を代入する。
【００５５】
（ステップＳ３８）
ＬＥＤコントローラ１０ｎ７は、制限値をバックライトＡＰＬ値で割った値をプレ補正係数に代入する。
【００５６】
次に、マルチディスプレイコントローラ１０が実行するステップＳ１８〜Ｓ２２の説明をする。
【００５７】
（ステップＳ１８）
マルチディスプレイコントローラ１０は、全ての表示装置１０ｎから、各々の、プレ補正係数、バックライトＡＰＬ値、輝度に関する情報を取得する。なお、プレ補正係数、およびバックライトＡＰＬ値は、ＬＥＤコントローラ１０ｎ７が、マルチディスプレイコントローラ１０に供給する。また、輝度に関する情報は、ローカルディミング部１０ｎ３が、マルチディスプレイコントローラ１０に供給する。
【００５８】
（ステップＳ２０）
設定部１２は、輝度に関する設定値として、全ての表示装置１０ｎに共通の補正係数を設定する。
【００５９】
（ステップＳ２２）
マルチディスプレイコントローラ１０は、ローカルディミング部１０ｎ３から、ローカルディミング部１０ｎ３により補正係数が設定された次フレーム用の輝度に関する情報を取得する。
【００６０】
次に、表示装置１０ｎが実行するステップＳ４０〜Ｓ４４の説明をする。
【００６１】
（ステップＳ４０）
ローカルディミング部１０ｎ３は、提供部１４から、全ての表示装置１０ｎに共通の補正係数を取得する。
【００６２】
（ステップＳ４２）
ローカルディミング部１０ｎ３は、ステップＳ４２において取得した補正係数に応じてステップＳ３４にて調整したＬＥＤデータを補正する。
【００６３】
（ステップＳ４４）
ＬＣＤ１０ｎ５、およびＬＥＤバックライト１０ｎ９は、ローカルディミング部１０ｎ３により生成されたＬＣＤデータ、およびローカルディミング部１０ｎ３により設定部１２が設定した補正係数に応じて補正されたＬＥＤデータに基づいて、画像を表示する。これにより、表示装置１０ｎは、設定部１２が設定した設定値に対応する輝度となるように画像を表示することができる。
【００６４】
次に、トーンマッピング部１０ｎ１により変換されるイメージｎのデータの階調値の例について、図５を用いて説明する。図５は、本実施形態における入力されたイメージｎのデータの階調値と変換後の画像の輝度値との関係を示すグラフであり、（ａ）は、グラフの一例であり、（ｂ）は、グラフの他の例であり、（ｃ）は、グラフのさらに他の例である。
【００６５】
例えば、トーンマッピング部１０ｎ１は、ＬＵＴを参照することにより、図５の（ａ）〜図５の（ｃ）に例示するようなグラフが示す画像の輝度値になるように、入力されたイメージｎのデータの階調値を変換する。ここで、図５の（ａ）〜図５の（ｃ）に示すように、ＬＵＴは、階調値に対する輝度値の増加の度合い（図５に示すグラフの傾き）を示しており、トーンマッピング部１０ｎ１は、ＬＵＴが示す対応関係になるよう、イメージｎのデータの階調値を変換する。
【００６６】
そして、トーンマッピング部１０ｎ１は、ＬＵＴを用いて変換した画像の輝度値をローカルディミング部１０ｎ３に出力する。
【００６７】
なお、本実施形態においては、ローカルディミング部１０ｎ３からマルチディスプレイコントローラ１０に輝度に関する情報として最大ＰＷＭ値を渡しているがこれに限らず、各エリアのＰＷＭ値の平均値を渡してもよい。
【００６８】
〔実施形態２〕
本発明の他の実施形態について、図６に基づいて説明すれば、以下のとおりである。
【００６９】
なお、説明の便宜上、前記実施形態にて説明した内容と同様の内容については、その説明を省略し、前記実施形態にて説明した内容と異なる内容についてのみ説明をする。
【００７０】
本実施形態に係る表示システム２は、実施形態１に係る表示システム１と同様、設定部２２、および提供部２４を含むマルチディスプレイコントローラ２０と、トーンマッピング部２０ｎ１、ローカルディミング部２０ｎ３、ＬＣＤ２０ｎ５、ＬＥＤコントローラ２０ｎ７、およびＬＥＤバックライト２０ｎ９を含む表示装置２０ｎとにより構成されている。
【００７１】
本実施形態に係る表示システム２が備えるトーンマッピング部２０ｎ１、ローカルディミング部２０ｎ３、ＬＣＤ２０ｎ５、ＬＥＤコントローラ２０ｎ７、ＬＥＤバックライト２０ｎ９を含む表示装置２０ｎは、それぞれ、実施形態１に係る表示システム１が備えるトーンマッピング部１０ｎ１、ローカルディミング部１０ｎ３、ＬＣＤ１０ｎ５、ＬＥＤコントローラ１０ｎ７、ＬＥＤバックライト１０ｎ９を含む表示装置１０ｎに対応する。
【００７２】
本実施形態では、設定部２２は、実施形態１において説明した設定値を設定する。提供部２４は、設定した設定値をＨＤＲ画像データのメタデータに含ませて表示装置２０ｎに提供する。
【００７３】
表示装置２０ｎのトーンマッピング部２０ｎ１は、メタデータを参照してイメージｎのＨＤＲ画像データをトーンマッピングする。
【００７４】
〔実施形態３〕
本発明のさらに他の実施形態について、図７に基づいて説明すれば、以下のとおりである。
【００７５】
なお、説明の便宜上、前記実施形態にて説明した内容と同様の内容については、その説明を省略し、前記実施形態にて説明した内容と異なる内容についてのみ説明をする。
【００７６】
本実施形態に係る表示システム３は、実施形態１に係る表示システム１と異なり表示装置３０ｎがトーンマッピング部を含まず、設定部３２、および提供部３４を含むマルチディスプレイコントローラ３０と、ローカルディミング部３０ｎ３、ＬＣＤ３０ｎ５、ＬＥＤコントローラ３０ｎ７、およびＬＥＤバックライト３０ｎ９を含む表示装置３０ｎとにより構成されている。
【００７７】
本実施形態に係る表示システム３が備えるローカルディミング部３０ｎ３、ＬＣＤ３０ｎ５、ＬＥＤコントローラ３０ｎ７、ＬＥＤバックライト３０ｎ９を含む表示装置３０ｎは、それぞれ、実施形態１に係る表示システム１が備えるローカルディミング部１０ｎ３、ＬＣＤ１０ｎ５、ＬＥＤコントローラ１０ｎ７、ＬＥＤバックライト１０ｎ９を含む表示装置１０ｎに対応する。
【００７８】
本実施形態では、設定部３２は、実施形態１、２において説明した設定値を設定し、設定した設定値を用いて、画像データに対するトーンマッピングも行う。そして、提供部３４は、トーンマッピングが施されたデータを各々の表示装置３０ｎに提供する。
【００７９】
すなわち、本実施形態においては、各々の表示装置３０ｎはトーンマッピングを行わずに画像を表示する。
【００８０】
〔実施形態４〕
本発明の他の実施形態について、図８に基づいて説明すれば、以下のとおりである。
【００８１】
本実施形態に係る表示システム４は、実施形態１に係る表示システム１と同様、設定部４２、および提供部４４を含むマルチディスプレイコントローラ４０と、トーンマッピング部４０ｎ１、ローカルディミング部４０ｎ３、ＬＣＤ４０ｎ５、ＬＥＤコントローラ４０ｎ７、およびＬＥＤバックライト４０ｎ９を含む表示装置４０ｎとにより構成されている。
【００８２】
本実施形態に係る表示システム４が備える提供部４４を含むマルチディスプレイコントローラ４０と、トーンマッピング部４０ｎ１、ＬＣＤ４０ｎ５、ＬＥＤコントローラ４０ｎ７、およびＬＥＤバックライト４０ｎ９を含む表示装置４０ｎとは、それぞれ実施形態１に係る表示システム１が備える提供部１４を含むマルチディスプレイコントローラ１０と、トーンマッピング部１０ｎ１、ＬＣＤ１０ｎ５、ＬＥＤコントローラ１０ｎ７、およびＬＥＤバックライト１０ｎ９を含む表示装置１０ｎに対応する。
【００８３】
その他、説明の便宜上、前記実施形態にて説明した内容と同様の内容については、その説明を省略し、前記実施形態にて説明した内容と異なる内容についてのみ説明をする。
【００８４】
本実施形態は、ローカルディミング部４０ｎ３が、表示装置４０ｎに表示される画像の輝度に関する情報をマルチディスプレイコントローラ４０に供給しない点、およびＬＥＤコントローラ４０ｎ７が、プレ補正係数、およびバックライトＡＰＬ値を含む信号をマルチディスプレイコントローラ４０に供給しない点において、実施形態１と異なる。
【００８５】
本実施形態においては、マルチディスプレイコントローラ４０は、記憶部（不図示）を備え、記憶部には、表示装置４０ｎのローカルディミング部４０ｎ３が実行するローカルディミングに関するデータが格納されている。ローカルディミングに関するデータとしては、表示装置４０ｎのディスプレイが幾つのバックライト領域に分割されるかを示す分割数のデータ等を挙げることができる。設定部４２は、記憶部に格納されている情報を参照して、表示装置４０ｎの各々において表示可能な輝度を推定し、推定した輝度に応じて設定値を設定する。ここで、本実施形態における設定値の具体例としては上述した実施形態における設定値が挙げられる。設定された設定値は、提供部４４により表示装置４０ｎに提供される。
【００８６】
また設定部４２は、後述の実施形態６の欄でフローチャート（図１１）を参照して説明するように、各表示装置４０ｎ用のＬＥＤデータ、ＬＣＤデータの生成、およびＬＥＤデータのホワイトバランス、温度補正等の調整も行う。
【００８７】
表示装置４０ｎのトーンマッピング部４０ｎ１は、設定値を用いてイメージｎのＨＤＲ画像データをトーンマッピングする。また、表示装置４０ｎのローカルディミング部４０ｎ３は、設定値としての補正係数に応じてＬＥＤデータを補正する。
【００８８】
〔実施形態５〕
本発明の他の実施形態について、図９に基づいて説明すれば、以下のとおりである。
【００８９】
なお、説明の便宜上、前記実施形態にて説明した内容と同様の内容については、その説明を省略し、前記実施形態にて説明した内容と異なる内容についてのみ説明をする。
【００９０】
本実施形態に係る表示システム５は、実施形態４に係る表示システム４と同様、設定部５２、および提供部５４を含むマルチディスプレイコントローラ５０と、トーンマッピング部５０ｎ１、ローカルディミング部５０ｎ３、ＬＣＤ５０ｎ５、ＬＥＤコントローラ５０ｎ７、およびＬＥＤバックライト５０ｎ９を含む表示装置５０ｎとにより構成されている。
【００９１】
本実施形態に係る表示システム５が備えるトーンマッピング部５０ｎ１、ローカルディミング部５０ｎ３、ＬＣＤ５０ｎ５、ＬＥＤコントローラ５０ｎ７、ＬＥＤバックライト５０ｎ９を含む表示装置５０ｎは、それぞれ、実施形態４に係る表示システム４が備えるトーンマッピング部４０ｎ１、ローカルディミング部４０ｎ３、ＬＣＤ４０ｎ５、ＬＥＤコントローラ４０ｎ７、ＬＥＤバックライト４０ｎ９を含む表示装置４０ｎに対応する。
【００９２】
本実施形態では、設定部５２は、実施形態４において説明した設定値を設定する。提供部５４は、設定した設定値をＨＤＲ画像データのメタデータに含ませて表示装置５０ｎに提供する。
【００９３】
表示装置５０ｎのトーンマッピング部５０ｎ１は、メタデータを参照してイメージｎのＨＤＲ画像データをトーンマッピングする。
【００９４】
〔実施形態６〕
本発明の他の実施形態について、図１０〜図１１に基づいて説明すれば、以下のとおりである。
【００９５】
本実施形態に係る表示システム６は、実施形態４に係る表示システム４と異なり表示装置６０ｎがトーンマッピング部を含まず、設定部６２、および提供部６４を含むマルチディスプレイコントローラ６０と、ローカルディミング部６０ｎ３、ＬＣＤ６０ｎ５、ＬＥＤコントローラ６０ｎ７、およびＬＥＤバックライト６０ｎ９を含む表示装置６０ｎとにより構成されている。
【００９６】
本実施形態に係る表示システム６が備えるＬＣＤ６０ｎ５、ＬＥＤバックライト６０ｎ９を含む表示装置６０ｎは、それぞれ、実施形態４に係る表示システム４が備えるＬＣＤ４０ｎ５、ＬＥＤバックライト４０ｎ９を含む表示装置４０ｎに対応する。
【００９７】
その他、説明の便宜上、前記実施形態にて説明した内容と同様の内容については、その説明を省略し、前記実施形態にて説明した内容と異なる内容についてのみ説明をする。
【００９８】
本実施形態では、設定部６２は、実施形態４、５において説明した設定値を設定し、設定した設定値を用いて、画像データに対するトーンマッピングも行う。そして、提供部６４は、トーンマッピングが施され、ホワイトバランス、温度補正等が調整されたデータを各々の表示装置６０ｎに提供する。
【００９９】
すなわち、本実施形態においては、各々の表示装置６０ｎはトーンマッピング、ホワイトバランス、温度補正等の調整を行わずに画像を表示する。
【０１００】
続いて、図１１のフローチャートを参照して、本実施形態に係る表示システム４における制御の一例を説明する。
【０１０１】
図１１におけるステップＳ６０〜ステップＳ７４の処理は、マルチディスプレイコントローラ６０が実行し、図１１におけるステップＳ７６〜Ｓ８２の処理は、表示装置６０ｎが実行する。
【０１０２】
まず、マルチディスプレイコントローラ６０が実行するステップＳ６０〜Ｓ７４の説明をする。
【０１０３】
（ステップＳ６０）
マルチディスプレイコントローラ６０は、画像データを取得する。
【０１０４】
（ステップＳ６２）
マルチディスプレイコントローラ６０の設定部６２は、輝度に関する情報に応じて、画像データに対して施されるトーンマッピング処理に用いられるデータを生成する。輝度に関する情報とは、ＬＥＤバックライト６０ｎ９ｍの輝度の情報を含む情報であってよく、ＬＥＤバックライト６０ｎ９ｍに対して供給されるバックライト制御信号のデューティ比の最大値（最大ＰＷＭ値）の情報であってもよい。
【０１０５】
ステップＳ６２におけるマルチディスプレイコントローラ６０の処理は、前述のステップＳ１２におけるマルチディスプレイコントローラ１０の処理と同様に、図４のステップＳ５０〜ステップ５６を参照して説明することができる。
【０１０６】
（ステップＳ６４）
マルチディスプレイコントローラ６０は、各表示装置６０ｎ用に、取得した画像データの示す画像をトリミングしたイメージｎのデータを生成する。
【０１０７】
（ステップＳ６６）
マルチディスプレイコントローラ６０は、ステップ６２において生成したデータを用いてイメージｎのデータにトーンマッピング処理を施す。
【０１０８】
（ステップＳ６８）
マルチディスプレイコントローラ６０は、各表示装置６０ｎ用のイメージｎのデータに基づいて、ＬＥＤデータ、ＬＣＤデータを生成する。
【０１０９】
（ステップＳ７０）
マルチディスプレイコントローラ６０は、ＬＥＤデータを調整する。
【０１１０】
（ステップＳ７２）
設定部６２は、表示装置６０ｎのローカルディミング部６０ｎ３が実行するローカルディミングに関する情報を参照して、設定値として全表示装置６０ｎ共通の補正係数を設定する。
【０１１１】
（ステップＳ７４）
設定部６２は、推定した表示装置６０ｎの表示可能な輝度と設定した補正係数とに応じて、次フレーム用の補正係数設定後の輝度に関する情報を計算する。
【０１１２】
次に、表示装置６０ｎが実行するステップＳ７６〜Ｓ８２の説明をする。
【０１１３】
（ステップＳ７６）
ローカルディミング部６０ｎ３は、提供部６４から、トーンマッピングが施され、ホワイトバランス、温度補正等が調整されたデータを取得する。
【０１１４】
（ステップＳ７８）
ローカルディミング部６０ｎ３は、提供部６４から、全ての表示装置６０ｎに共通の補正係数を取得する。
【０１１５】
（ステップＳ８０）
ローカルディミング部６０ｎ３は、ステップＳ７８において取得した補正係数に応じてステップＳ７６にて取得したＬＥＤデータを補正する。
【０１１６】
（ステップＳ８２）
ＬＣＤ６０ｎ５、およびＬＥＤバックライト６０ｎ９は、ローカルディミング部６０ｎ３により生成されたＬＣＤデータ、およびローカルディミング部６０ｎ３により設定部１２が設定した補正係数に応じて補正されたＬＥＤデータに基づいて、画像を表示する。これにより、表示装置６０ｎは、設定部６２が設定した設定値に対応する輝度となるように画像を表示することができる。
【０１１７】
〔ソフトウェアによる実現例〕
表示制御装置１０，２０，３０，４０，５０，６０の制御ブロック（特に設定部１２，２２，３２，４２，５２，６２および提供部１４，２４，３４，４４，５４，６４）は、集積回路（ＩＣチップ）等に形成された論理回路（ハードウェア）によって実現してもよいし、ＣＰＵ（Central Processing Unit）を用いてソフトウェアによって実現してもよい。
【０１１８】
後者の場合、表示制御装置１０，２０，３０，４０，５０，６０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１９】
〔まとめ〕
本発明の態様１に係る表示制御装置１０，２０，４０，５０は、画像の表示を制御する制御部（トーンマッピング部１０ｎ１，２０ｎ１，４０ｎ１，５０ｎ１、ローカルディミング部１０ｎ３，２０ｎ３，４０ｎ３，５０ｎ３）を備える複数の表示装置１０ｎ，２０ｎ，４０ｎ，５０ｎの各々を制御する表示制御装置１０，２０，４０，５０において、上記複数の表示装置１０ｎ，２０ｎ，４０ｎ，５０ｎの各々に共通な、上記制御部（トーンマッピング部１０ｎ１，２０ｎ１，４０ｎ１，５０ｎ１、ローカルディミング部１０ｎ３，２０ｎ３，４０ｎ３，５０ｎ３）による画像の表示の制御に用いられる、輝度に関する設定値を設定する設定部１２，２２，４２，５２と、上記複数の表示装置１０ｎ，２０ｎ，４０ｎ，５０ｎの各々に対して上記設定値を提供する提供部１４，２４，４４，５４とを備えている。
【０１２０】
上記の構成によれば、輝度のばらつきを抑制しつつ、ローカルディミング機能を搭載した複数の表示装置１０ｎ，２０ｎ，４０ｎ，５０ｎを用いて画像を表示することができる。
【０１２１】
本発明の態様２に係る表示制御装置１０，４０は、上記態様１において、上記設定部１２，４２は、上記設定値として、上記複数の表示装置１０ｎ，４０ｎの各々において画像データに施されるトーンマッピングに用いられる関数を設定してもよい。
【０１２２】
上記の構成によれば、表示装置１０ｎ，４０ｎの各々において、画像データに、共通のトーンマッピングを施すことができる。
【０１２３】
本発明の態様３に係る表示制御装置２０，５０は、上記態様１において、上記提供部２４，５２は、上記複数の表示装置２０ｎ，５０ｎの各々に供給される画像データのメタデータに含めて上記設定値を提供すればよい。
【０１２４】
上記の構成によれば、表示装置２０ｎ，５０ｎの各々に、画像データに含めて輝度に関する設定値を供給することができる。
【０１２５】
本発明の態様４に係る表示制御装置３０，６０は、複数の表示装置３０ｎ，６０ｎの各々の表示を制御する表示制御装置３０，６０において、上記複数の表示装置３０ｎ，６０ｎの各々に共通な、輝度に関する設定値を設定する設定部３２，６２と、画像データに上記設定値を用いてトーンマッピングを施し、トーンマッピングが施された画像データを上記複数の表示装置３０ｎ，６０ｎの各々に提供する提供部３４，６４とを備えている。
【０１２６】
上記の構成によれば、輝度のばらつきを抑制しつつ、ローカルディミング機能を搭載した複数の表示装置３０ｎ，６０ｎを用いて画像を表示することができる。
【０１２７】
本発明の態様５に係る表示制御装置１０，２０，３０，４０，５０，６０は、上記態様１〜４の何れか１態様において、上記設定部１２，２２，３２，４２，５２，６２は、上記設定値を、上記複数の表示装置１０ｎ，２０ｎ，３０ｎ，４０ｎ，５０ｎ，６０ｎの各々が有する複数のバックライト（ＬＥＤバックライト１０ｎ９，２０ｎ９，３０ｎ９，４０ｎ９，５０ｎ９，６０ｎ９）に対して供給されるバックライト制御信号のデューティ比の、表示装置１０ｎ，２０ｎ，３０ｎ，４０ｎ，５０ｎ，６０ｎ毎の最大値を参照して設定してもよい。
【０１２８】
上記の構成によれば、表示装置１０ｎ，２０ｎ，３０ｎ，４０ｎ，５０ｎ，６０ｎ毎の最も明るい箇所を参照するので、最も供給電力が大きい状態を参照して画像を表示することができる。
【０１２９】
本発明の態様６に係る表示制御装置１０，２０，３０，４０，５０，６０は、上記態様５において、上記設定部１２，２２，３２，４２，５２，６２は、上記設定値を、上記表示装置１０ｎ，２０ｎ，３０ｎ，４０ｎ，５０ｎ，６０ｎ毎の最大値のうちの最も小さい値に応じて設定してもよい。
【０１３０】
上記の構成によれば、表示装置１０ｎ，２０ｎ，３０ｎ，４０ｎ，５０ｎ，６０ｎ毎の最大値のうちの最も小さい値に応じて設定値を設定するので、省電力、低発熱を達成することができる。
【０１３１】
本発明の態様７に係る表示制御装置１０，２０，３０は、上記態様１〜６の何れか１態様において、上記設定部１２，２２，３２は、上記設定値を、上記複数の表示装置１０ｎ，２０ｎ，３０ｎの各々において表示可能な輝度に応じて設定してもよい。
【０１３２】
上記の構成によれば、表示装置１０ｎ，２０ｎ，３０ｎが実際に表示する画像の状況に応じて輝度を設定することができる。
【０１３３】
本発明の態様８に係る表示制御装置４０，５０，６０は、上記態様１〜６の何れか１態様において、上記設定部４２，５２，６２は、上記設定値を、上記複数の表示装置４０ｎ，５０ｎ，６０ｎの各々において表示可能な輝度を推定し、推定した輝度に応じて設定してもよい。
【０１３４】
上記の構成によれば、表示装置４０ｎ，５０ｎ，６０ｎが実際に表示する画像の状況を知らなくとも輝度を設定することができる。
【０１３５】
本発明の態様９に係る表示システム１，２，３，４，５，６は、上記態様１〜８の何れか１態様に記載の表示制御装置１０，２０，３０，４０，５０，６０と、上記態様１〜８の何れか１態様に記載の複数の表示装置１０ｎ，２０ｎ，３０ｎ，４０ｎ，５０ｎ，６０ｎとを備えた表示システム１，２，３，４，５，６であって、上記複数の表示装置１０ｎ，２０ｎ，３０ｎ，４０ｎ，５０ｎ，６０ｎの各々は、上記設定値に対応する輝度となるように画像を表示する。
【０１３６】
上記の構成によれば、輝度のばらつきを抑制しつつ、ローカルディミング機能を搭載した複数の表示装置１０ｎ，２０ｎ，３０ｎ，４０ｎ，５０ｎ，６０ｎを用いて画像を表示することができる。
【０１３７】
本発明の各態様に係る表示制御装置は、コンピュータによって実現してもよく、この場合には、コンピュータを上記表示制御装置が備える各部（ソフトウェア要素）として動作させることにより上記表示制御装置をコンピュータにて実現させる表示制御装置の表示制御プログラム、およびそれを記録したコンピュータ読み取り可能な記録媒体も、本発明の範疇に入る。
【０１３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３９】
１，２，３，４，５，６  表示システム
１０，２０，３０，４０，５０，６０  マルチディスプレイコントローラ（表示制御装置）
１０ｎ，２０ｎ，３０ｎ，４０ｎ，５０ｎ，６０ｎ  表示装置
１０ｎ１，２０ｎ１，３０ｎ１，４０ｎ１，５０ｎ１，６０ｎ１  トーンマッピング部（制御部）
１０ｎ３，２０ｎ３，３０ｎ３，４０ｎ３，５０ｎ３，６０ｎ３  ローカルディミング部（制御部）
１０ｎ９，２０ｎ９，３０ｎ９，４０ｎ９，５０ｎ９，６０ｎ  ＬＥＤバックライト（バックライト）
１２，２２，３２，４２，５２，６２  設定部
１４，２４，３４，４４，５４，６４  提供部
【図１】
2018025700.tif 000003
【図２】
2018025700.tif 000004
【図３】
2018025700.tif 000005
【図４】
2018025700.tif 000006
【図５】
2018025700.tif 000007
【図６】
2018025700.tif 000008
【図７】
2018025700.tif 000009
【図８】
2018025700.tif 000010
【図９】
2018025700.tif 000011
【図１０】
2018025700.tif 000012
【図１１】
2018025700.tif 000013
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
画像の表示を制御する制御部を備える複数の表示装置の各々を制御する表示制御装置において、
上記複数の表示装置の各々に共通な設定値であって、上記制御部による画像の表示の制御に用いられる、輝度に関する設定値を設定する設定部と、
上記複数の表示装置の各々に対して上記設定値を提供する提供部とを備え、
上記設定部は、上記設定値として、上記複数の表示装置の各々において画像データに施されるトーンマッピングに用いられる関数を設定するものであり、
上記設定部は、上記設定値を、上記複数の表示装置の各々が有する複数のバックライトに対して供給されるバックライト制御信号のデューティ比の、表示装置毎の最大値を参照して設定する
ことを特徴とする表示制御装置。
【請求項２】
上記提供部は、上記複数の表示装置の各々に供給される画像データのメタデータに含めて上記設定値を提供する
ことを特徴とする請求項１に記載の表示制御装置。
【請求項３】
複数の表示装置の各々の表示を制御する表示制御装置において、
上記複数の表示装置の各々に共通な設定値であって、輝度に関する設定値を設定する設定部と、
画像データに上記設定値を用いてトーンマッピングを施し、トーンマッピングが施された画像データを上記複数の表示装置の各々に提供する提供部とを備え、
上記設定部は、上記設定値を、上記複数の表示装置の各々が有する複数のバックライトに対して供給されるバックライト制御信号のデューティ比の、表示装置毎の最大値を参照して設定し、
上記設定部は、上記設定値として、上記複数のバックライトの制御に用いられるデータを補正するための補正係数を設定する
ことを特徴とする表示制御装置。
【請求項４】
上記設定部は、上記設定値を、上記表示装置毎の最大値のうちの最も小さい値に応じて設定する
ことを特徴とする請求項１〜３の何れか１項に記載の表示制御装置。
【請求項５】
上記設定部は、上記設定値を、上記複数の表示装置からの情報に応じて設定する
ことを特徴とする請求項１〜４の何れか１項に記載の表示制御装置。
【請求項６】
上記設定部は、上記設定値を、上記複数の表示装置の各々において表示可能な輝度に応じて設定する
ことを特徴とする請求項５に記載の表示制御装置。
【請求項７】
上記設定部は、上記設定値を、上記複数の表示装置の各々において表示可能な輝度を推定し、推定した輝度に応じて設定する
ことを特徴とする請求項１〜４の何れか１項に記載の表示制御装置。
【請求項８】
請求項１〜７の何れか１項に記載の表示制御装置と、
画像の表示を制御する制御部を備え、上記表示制御装置によって制御される複数の表示装置と
を備えた表示システムであって、
上記複数の表示装置の各々の制御部は、上記設定値に対応する輝度となるように画像の表示を制御する
ことを特徴とする表示システム。
【請求項９】
請求項８に記載の表示システムとチューナとを備えていることを特徴とするテレビジョン受像機。
【請求項１０】
請求項１に記載の表示制御装置としてコンピュータを機能させるための表示制御プログラムであって、上記設定部、および上記提供部としてコンピュータを機能させるための表示制御プログラム。
【請求項１１】
請求項１０に記載の表示制御プログラムを記録したコンピュータ読み取り可能な記録媒体。